(57)【特許請求の範囲】
【請求項１】
カラー受像管のネック部に装着される偏向ヨークであり、前記ネック部側を小径部、前記カラー受像管の画面側を大径部とし、前記小径部と前記大径部との間を側面部とした水平偏向コイルを備えた偏向ヨークにおいて、
前記側面部に、少なくとも第１及び第２の開口部を三角形状に形成し、
前記第１の開口部の一頂点を、前記大径部から前記小径部までの長さにおける前記大径部から前記小径部方向に２０〜３５％の範囲内であって、前記第１の開口部の一頂点と前記カラー受像管の管軸とを結んで前記管軸に直交する線と、前記画面の水平軸とのなす角が１０〜２５°の範囲内にし、
前記第２の開口部の一頂点を、前記大径部から前記小径部までの長さにおける前記大径部から前記小径部方向に５５〜７０％の範囲内であって、前記第２の開口部の一頂点と前記管軸とを結んで前記管軸に直交する線と、前記画面の水平軸とのなす角が２５〜４０°の範囲内にしたことを特徴とする偏向ヨーク。
【請求項２】
カラー受像管のネック部に装着される偏向ヨークに用いる水平偏向コイルを形成する水平偏向コイルの巻線方法であり、凸型と凹型との間の巻線スペースに電線を巻線して、前記ネック部側を小径部、前記カラー受像管の画面側を大径部とし、前記小径部と前記大径部との間を側面部とした水平偏向コイルを形成する水平偏向コイルの巻線方法において、
前記電線の巻線時に前記巻線スペースに複数の分割ピンを挿入して前記側面部に少なくとも第１及び第２の開口部を三角形状に形成し、
前記第１の開口部の三角形状の一頂点を、
前記大径部から前記小径部までの長さにおける前記大径部から前記小径部方向に２０〜３５％の範囲内であって、分割ピンが前記巻線スペースに挿入される位置における断面で見たとき、その分割ピンと前記カラー受像管の管軸とを結ぶ線と前記画面の水平軸とのなす角が１０〜２５°の範囲内に第１の分割ピンを前記巻線スペースに挿入して形成すると共に、
前記第２の開口部の三角形状の一頂点を、
前記大径部から前記小径部までの長さにおける前記大径部から前記小径部方向に５５〜７０％の範囲内であって、分割ピンが前記巻線スペースに挿入される位置における断面で見たとき、その分割ピンと前記管軸とを結ぶ線と前記画面の水平軸とのなす角が２５〜４０°の範囲内に第２の分割ピンを前記巻線スペースに挿入して形成することを特徴とする水平偏向コイルの巻線方法。
【発明の詳細な説明】
【０００１】
【発明の属する技術分野】
本発明は、偏向ヨーク及びそれに用いる水平偏向ヨークの巻線方法に関する。
【０００２】
【従来の技術】
３電子銃インライン型カラー受像管を使用した画像表示装置において、３本の電子銃から発せられる３つの電子ビームをスクリーン面（画面）上に良好に集中（コンバーゼンス）させるための方法の１つとして、セルフコンバーゼンス方式の偏向ヨークを用いる方法がある。セルフコンバーゼンス方式の偏向ヨークは、上下一対のサドル型水平偏向コイルと、左右一対のサドル型垂直偏向コイルから構成されるのが一般的で、良好なコンバーゼンス特性を得る仕組みになっている。
【０００３】
ところが、実際には、ほとんどの３電子銃インライン型カラー受像管において、画面上下のラスタ歪みを適切に補正すると、図６に示すようなミスコンバーゼンスパターンが生じる。図６中の実線はＲ（赤）の横線の輝線、破線はＢ（青）の横線の輝線を、Ｘは画面の水平方向を表している。即ち、画面垂直方向の端部領域においては、第１・第３象限ではＲがＢよりも上方にずれ、第２・第４象限ではＲがＢよりも下方にずれる。また、画面垂直方向の中間領域においては、第１・第３象限ではＲがＢよりも下方にずれ、第２・第４象限ではＲがＢよりも上方にずれる。この端部領域のパターンを逆クロス、中間領域のパターンを正クロスと呼び、通常このように端部領域と中間領域とでクロスパターンが反転しているミスコンバーゼンスを反転トリレンマと呼んでいる。
【０００４】
この反転トリレンマを改善する手段として、例えば特許第２９６７６８３号に示されているように、垂直偏向コイルに中間タップを設けてダイオードスイッチング回路と組み合わせる方法や、水平偏向コイルと接続した可飽和リアクタとダイオードスイッチング回路とを組み合わせる方法等が実用化されている。
【０００５】
【発明が解決しようとする課題】
これらの従来の改善手段においては、反転トリレンマ補正のための回路や可飽和リアクタ等の部品を追加しなければならないためコストアップとなり、また、偏向ヨークの組立工数の増加を招くという問題点があった。
【０００６】
本発明はこのような問題点に鑑みなされたものであり、反転トリレンマ補正のための回路や部品を用いることなく、反転トリレンマを改善することができる偏向ヨーク及び水平偏向コイルの巻線方法を提供することを目的とする。
【０００７】
【課題を解決するための手段】
本発明は、上述した従来の技術を解決するため、
（ａ）カラー受像管のネック部に装着される偏向ヨークであり、前記ネック部側を小径部、前記カラー受像管の画面側を大径部とし、前記小径部と前記大径部との間を側面部とした水平偏向コイルを備えた偏向ヨークにおいて、
前記側面部に、少なくとも第１及び第２の開口部を三角形状に形成し、前記第１の開口部の三角形状の一頂点を、前記大径部から前記小径部までの長さにおける前記大径部から前記小径部方向に２０〜３５％の範囲内であって、前記第１の開口部の一頂点と前記カラー受像管の管軸とを結んで前記管軸に直交する線と、前記画面の水平軸とのなす角が１０〜２５°の範囲内にし、前記第２の開口部の一頂点を、前記大径部から前記小径部までの長さにおける前記大径部から前記小径部方向に５５〜７０％の範囲内であって、前記第２の開口部の一頂点と前記管軸とを結んで前記管軸に直交する線と、前記画面の水平軸とのなす角が２５〜４０°の範囲内にしたことを特徴とする偏向ヨークを提供し、
（ｂ）カラー受像管のネック部に装着される偏向ヨークに用いる水平偏向コイルを形成する水平偏向コイルの巻線方法であり、凸型と凹型との間の巻線スペースに電線を巻線して、前記ネック部側を小径部、前記カラー受像管の画面側を大径部とし、前記小径部と前記大径部との間を側面部とした水平偏向コイルを形成する水平偏向コイルの巻線方法において、
前記電線の巻線時に前記巻線スペースに複数の分割ピンを挿入して前記側面部に少なくとも第１及び第２の開口部を三角形状に形成し、前記第１の開口部の三角形状の一頂点を、前記大径部から前記小径部までの長さにおける前記大径部から前記小径部方向に２０〜３５％の範囲内であって、分割ピンが前記巻線スペースに挿入される位置における断面で見たとき、その分割ピンと前記カラー受像管の管軸とを結ぶ線と前記画面の水平軸とのなす角が１０〜２５°の範囲内に第１の分割ピンを前記巻線スペースに挿入して形成すると共に、前記第２の開口部の三角形状の一頂点を、前記大径部から前記小径部までの長さにおける前記大径部から前記小径部方向に５５〜７０％の範囲内であって、分割ピンが前記巻線スペースに挿入される位置における断面で見たとき、その分割ピンと前記管軸とを結ぶ線と前記画面の水平軸とのなす角が２５〜４０°の範囲内に第２の分割ピンを前記巻線スペースに挿入して形成することを特徴とする水平偏向コイルの巻線方法を提供するものである。
【０００８】
【発明の実施の形態】
以下、本発明の偏向ヨーク及び水平偏向コイルの巻線方法について、添付図面を参照して説明する。図１は本発明の偏向ヨークで用いる水平偏向コイルの一実施例を示す側面図、図２は本発明の偏向ヨークで用いる水平偏向コイルの一実施例を示す正面図、図３は本発明の水平偏向コイルを巻線する巻線装置の一実施例を示す側面図、図４は本発明の水平偏向コイルを巻線する巻線装置の一実施例を示す分解斜視図、図５は本発明の偏向ヨークの全体構成例を示す斜視図である。
【０００９】
本発明の偏向ヨークは、水平偏向コイルが発生する磁界のみで反転トリレンマを改善しようとするものである。図１，図２は反転トリレンマを改善するのに好適な水平偏向コイルの構成例を示している。図１におけるＹは偏向ヨークをカラー受像管に装着した場合の画面の垂直方向、Ｚはカラー受像管の管軸方向である。図１は図２の右側より見た側面図であり、図２は水平偏向コイルを画面側より見た平面図である。水平偏向コイルはＹ軸に対して左右対称であるので、図１の側面図は図２の左側より見た側面図と同一である。
【００１０】
図１，図２において、水平偏向コイル２は、小径側フランジ（小径部）２Ａと、大径側フランジ（大径部）２Ｂと、小径側フランジ２Ａと大径側フランジ２Ｂとを連結する側面部２Ｃとよりなる。側面部２Ｃの中央部には、窓部２Ｄが形成され（図２参照）、一対の水平偏向コイル２が突き合わされる面は、突き合わせ部２Ｅとなる。水平偏向コイル２を巻線装置によって巻線する場合には、そのコイルを形成する電線の巻回時に、分割ピンと称されるピンによって電線の位置を規制して、所望の巻線分布を形成する。なお、巻線装置の詳細については後に詳述する。
【００１１】
図１，図２に示すように、水平偏向コイル２の全長である小径側フランジ２Ａから大径側フランジ２Ｂまでの長さをＬ０とすると、大径側フランジ２ＢからＺ方向にＬ１の位置に分割ピン５０31，５０33を挿入し、Ｌ２の位置に分割ピン５０32，５０34を挿入して電線を位置規制している。分割ピン５０31〜５０34を総称して分割ピン５０3と呼ぶこととする。分割ピン５０31，５０33の位置には、突き合わせ部２Ｅ側に頂点を向けた三角形の開口２ＣO1，２ＣO3が形成され、分割ピン５０32，５０34の位置には、突き合わせ部２Ｅ側に頂点を向けた三角形の開口２ＣO2，２ＣO4が形成されている。分割ピン５０3の位置が開口２ＣO1〜２ＣO4の頂点となる。
【００１２】
ここで、Ｌ１は、Ｌ０の２０〜３５％の範囲内、Ｌ２は、Ｌ０の５５〜７０％の範囲内となるように設定している。即ち、水平偏向コイル２の全長における大径側フランジ２Ｂから２０〜３５％の範囲内に開口２ＣO1，２ＣO3を形成するための分割ピン５０31，５０33を挿入し、５５〜７０％の範囲内に開口２ＣO2，２ＣO4を形成するための分割ピン５０32，５０34を挿入する。換言すれば、水平偏向コイル２の全長における大径側フランジ２Ｂから２０〜３５％の範囲内に頂点を有する三角形の開口２ＣO1，２ＣO3を形成し、５５〜７０％の範囲内に頂点を有する三角形の開口２ＣO2，２ＣO4を形成する。
【００１３】
さらに、図２に示すように、Ｚ軸に直交する面内において、分割ピン５０31，５０33とＺ軸とを結ぶ線とＸ軸とのなす角をθ１、分割ピン５０32，５０34とＺ軸とを結ぶ線とＸ軸とのなす角をθ２とすると、θ１を１０〜２５°、θ２を２５〜４０°の範囲となるように設定している。換言すれば、Ｘ軸から１０〜２５°の範囲内に頂点を有する三角形の開口２ＣO1，２ＣO3を形成し、２５〜４０°の範囲内に頂点を有する三角形の開口２ＣO2，２ＣO4を形成する。
【００１４】
また、本発明とは直接的には関連しないが、側面部２Ｃの大径側フランジ２Ｂ側の部分は、複数のセクションに分割されている。一方の側面部２Ｃ（図２の右側）の大径側フランジ２Ｂ側の部分は、分割ピン５０11，５０12，５０13，５０14によって、複数のセクション２Ｃ1，２Ｃ2，２Ｃ3，２Ｃ4に分割されている。他方の側面部２Ｃ（図２の左側）の大径側フランジ２Ｂ側の部分は、分割ピン５０15，５０16，５０17，５０18によって、複数のセクション２Ｃ5，２Ｃ6，２Ｃ7，２Ｃ8に分割されている。分割ピン５０11〜５０18を総称して分割ピン５０1と呼ぶこととする。なお、図１においては、分割ピン５０1の図示を省略している。
【００１５】
以上をまとめると、大径側フランジ２ＢからＺ方向に２０〜３５％の範囲内においては、Ｘ軸から１０〜２５°の範囲内に分割ピン５０31，５０33を挿入して開口２ＣO1，２ＣO3を形成し、大径側フランジ２ＢからＺ方向に５５〜７０％の範囲内においては、Ｘ軸から２５〜４０°の範囲内に分割ピン５０32，５０34を挿入して開口２ＣO2，２ＣO4を形成する。より好ましくは、２５〜３５％の範囲内で１２〜２０°の範囲内、６０〜７０％の範囲内で２７〜３７°の範囲内、さらに好ましくは、２８〜３４％の範囲内で１４〜１８°の範囲内、６２〜６８％の範囲内で３０〜３４°の範囲内である。これらは、本発明者が、実験により、種々の形状の水平偏向コイル２を作成して反転トリレンマの補正特性を評価することにより最適条件を見出したものである。
【００１６】
ところで、セルフコンバーゼンス方式の偏向ヨークの水平偏向磁界はピンクッション形にする必要がある。従来においては、Ｒ／Ｂに対するＧ（緑）の感度や歪み特性を改善するために、大径側フランジ２Ｂ側を強いピンクッション磁界、小径側フランジ２Ａ側を弱いバレル磁界、大径側フランジ２Ｂから小径側フランジ２Ａまでの中間領域は平均的にピンクッション磁界となるようにするのが一般的である。この大径側フランジ２Ｂ側の強いピンクッション磁界が反転トリレンマ発生の最大要因である。
【００１７】
そこで、本発明においては、前述の位置に分割ピン５０31〜５０34を挿入し、開口２ＣO1〜２ＣO4を形成することにより、大径側フランジ２Ｂ側の強いピンクッション磁界を弱め、その分、大径側フランジ２Ｂから小径側フランジ２Ａまでの中間領域のピンクッション磁界を強める。これにより、Ｚ軸方向の磁界分布のバランスを最適化して、反転トリレンマを改善するものである。本発明による水平偏向コイル２を１７型カラー受像管用の偏向ヨークに組み込み、反転トリレンマを確認したところ、反転トリレンマは約７０％程度低減し、約３０％に改善されたことが確認された。この反転トリレンマを約３０％に改善した偏向ヨークは、従来の改善手段を搭載した偏向ヨークと比較しても遜色ないものである。
【００１８】
このように、本発明は、反転トリレンマ補正のための回路や部品を用いることなく、反転トリレンマを改善することができる。但し、さらに反転トリレンマを補正するため、本発明の構成である水平偏向コイル２に加え、他の改善手段（回路や部品等）を用いることを否定するものではない。本発明は、反転トリレンマ補正のための回路や部品を用いることなく、単独で用いる場合のみならず、反転トリレンマ補正のための回路や部品を用いた上で、併用して用いる場合のいずれの場合も含む。
【００１９】
以上のように、本発明の偏向ヨークを構成する水平偏向コイル２の側面部２Ｃには、水平偏向コイル２の巻線工程における複数の分割ピン５０3による位置規制によって複数の開口２ＣO1〜２ＣO4が形成されている。大径側フランジ２Ｂから小径側フランジ２Ａまでの長さＬ０における大径側フランジ２Ｂから小径側フランジ２Ａ方向に２０〜３５％の範囲内においては、分割ピン５０3が巻線スペースに挿入される位置における断面で見たとき、その分割ピン５０3とＺ軸とを結ぶ線とＸ軸とのなす角として１０〜２５°の範囲内に設けた分割ピン５０31，５０33（第１の分割ピン）によって開口２ＣO1，２ＣO3（第１の開口）が形成されている。５５〜７０％の範囲内においては、２５〜４０°の範囲内に設けた分割ピン５０32，５０34（第２の分割ピン）によって開口２ＣO2，２ＣO4（第２の開口）が形成されている。
【００２０】
次に、図３，図４を用いて、以上説明した本発明の偏向ヨークに用いる水平偏向コイル２を得るための、水平偏向コイルの巻線装置と本発明の水平偏向コイルの巻線方法とについて説明する。なお、この巻線装置は、巻線装置における巻型以外の部分は従来と同様であるので、図３，図４では、巻型のみを図示し、他の部分の図示を省略している。
【００２１】
図３，図４において、この巻線装置における巻型は、凸型５１と凹型５２とよりなる。凸型５１と凹型５２とを図３のように組み合わせて対向させると、両者の間には巻線スペースが形成され、その巻線スペースにコイルとなる電線が順次巻線され、サドル型水平偏向コイル２が形成される。
【００２２】
凸型５１の大径側（図３の下側）には、水平偏向コイル２を巻線するに際し、電線の巻線分布を決定し、複数のセクション２Ｃ1〜２Ｃ8に分割するための複数の分割ピン５０1が設けられている。分割ピン５０1それぞれはそれぞれの駆動部５３によって駆動される。即ち、駆動部５３それぞれは、巻線工程において、凸型５１と凹型５２との間の巻線スペース内への選択的な出し入れ（挿入・待避）が制御される。さらに、凹型５２には、側面部２Ｃに、三角形の開口２ＣO1〜２ＣO4を形成するための複数の分割ピン５０3が設けられている。分割ピン５０3それぞれはそれぞれの駆動部５５によって、巻線スペース内への選択的な出し入れ（挿入・待避）が制御される。なお、図３，図４においては、簡略化のため、分割ピン５０1，５０3や駆動部５３，５５を部分的に図示している。
【００２３】
本実施例においては、分割ピン５０1はカラー受像管（図示せず）の管軸（Ｚ軸）に相当する図３の上下方向と略平行方向にその出し入れが制御され、分割ピン５０3は例えば側面部２Ｃの略法線方向にその出し入れが制御される。
【００２４】
以上のように、本発明の水平偏向コイルの巻線方法は、凸型５１と凹型５２との間の巻線スペースに電線を巻線して、カラー受像管のネック部側を小径側フランジ２Ａ、カラー受像管の画面側を大径側フランジ２Ｂとし、小径側フランジ２Ａと大径側フランジ２Ｂとの間を側面部２Ｃとした水平偏向コイル２を形成する。
また、電線の巻線時に巻線スペースに複数の分割ピン５０3を挿入して側面部２Ｃにおける巻線分布を規制する。
【００２５】
そして、大径側フランジ２Ｂから小径側フランジ２Ａまでの長さＬ０における大径側フランジ２Ｂから小径側フランジ２Ａ方向に２０〜３５％の範囲内においては、分割ピン５０3が巻線スペースに挿入される位置における断面で見たとき、その分割ピン５０3とＺ軸とを結ぶ線とＸ軸とのなす角として１０〜２５°の範囲内に分割ピン５０31，５０33（第１の分割ピン）を挿入する。５５〜７０％の範囲内においては、２５〜４０°の範囲内に分割ピン５０32，５０34（第２の分割ピン）を挿入する。
【００２６】
さらに、図５を用いて、本発明の偏向ヨークの全体構成例について説明する。図５に示す構成例は、本発明とは直接関係のない構成を含んでいる。本発明の偏向ヨークは図５に示すものに限定されるものではない。図５において、この偏向ヨークは、例えば一対の半環状のものを組み合わせたセパレータ１により、一方（図中の上側）が小径部とされ、他方（図中の下側）が大径部とされた漏斗状に形成されている。なお、小径部はカラー受像管のネック側であり、大径部は画面側である。
【００２７】
このセパレータ１の内面には一対のサドル型水平偏向コイル２，２が装着され、外面には一対のサドル型垂直偏向コイル３，３が装着され、セパレータ１は水平偏向コイル２，２と垂直偏向コイル３，３とを電気的に絶縁して保持する。垂直偏向コイル３，３の外面にはフェライト等からなるコア４が装着されている。水平偏向コイル２は、前述の巻線装置及び本発明の水平偏向コイルの巻線方法によって形成され、図１，図２の如く構成されたものである。
【００２８】
水平偏向コイル２は、上記のように、小径側（ネック側）フランジ２Ａ（ここでは図示せず）と大径側（画面側）フランジ２Ｂとを備える。小径側フランジ２Ａはセパレータ１の小径側に設けた収納部（図示せず）に収納され、大径側フランジ２Ｂは大径側フランジ１ｂに収納される。垂直偏向コイル３も、小径側フランジ（図示せず）と大径側フランジ３Ｂとを備える。
【００２９】
このように構成される偏向ヨークには、通常、偏向特性を補正する回路が必要であり、このような回路等を搭載した基板５がセパレータ１の側面に取り付けられている。セパレータ１の小径側には、複数枚のフランジ１a1，１a2，１a3なる小径側フランジ１ａが設けられている。小径側フランジ１ａの最も小径側のフランジ１a1上には、一対の４Ｐコイルと称される４極の補正コイル７が嵌着されている。
【００３０】
最も大径側のフランジ１a3には、基板５をセパレータ１に装着するための爪８が一体成形によって設けられている。基板５には、孔５ａが形成されており、この孔５ａにフランジ１a3に設けた爪８が係合するようになっている。一方、大径側フランジ１ｂには、一対の板状のリブ９が一体成形によって設けられている。基板５はその下端部を一対のリブ９によって挟まれて保持される。このようにして、基板５は、フランジ１a3に設けた爪８及びリブ９によって、セパレータ１の側面に取り付けられる。
【００３１】
さらに、基板５にはリード線を接続するための端子である複数のピン１０が取り付けられており、これらのピン１０には、水平偏向コイル２のリード線２ａや垂直偏向コイル３のリード線３ａ、補正コイル７のリード線７ａがからませてある。また、この偏向ヨークに電流を供給するため、電源に接続するコネクタ１１には、コネクタワイヤ１２が接続されており、コネクタワイヤ１２のリード線１２ａも基板５のピン１０にからませてある。
【００３２】
基板５の端部には、リード線２ａ，３ａ，７ａを通すための複数の溝５ｂがピン１０の近傍に形成されている。基板５方向に引き回されたリード線２ａ，３ａ，７ａは、それぞれ基板５の端部に形成した溝５ｂに収められ、ピン１０にからませて半田付けされる。なお、ここでは半田は図示していない。なお、ネック側フランジ１ａのフランジ１a3には、略Ｌ字状のリブ１３が一体成形により設けられており、水平偏向コイル２のリード線２ａは、リブ１３とフランジ１a3とがなす略コ字状の凹部１４を通して溝５ｂに収められている。
【００３３】
【発明の効果】
以上詳細に説明したように、本発明の偏向ヨーク及び水平偏向コイルの巻線方法は、反転トリレンマ補正のための回路や部品を用いることなく、反転トリレンマを改善することができる。
また、反転トリレンマ補正のための回路や部品を用いることなく、反転トリレンマを改善することができる水平偏向コイルを得ることができる。
【図面の簡単な説明】
【図１】本発明の偏向ヨークで用いる水平偏向コイルの一実施例を示す側面図である。
【図２】本発明の偏向ヨークで用いる水平偏向コイルの一実施例を示す正面図である。
【図３】水平偏向コイルの巻線装置の一適用例を示す側面図である。
【図４】水平偏向コイルの巻線装置の一適用例を示す分解斜視図である。
【図５】本発明の偏向ヨークの一構成例を示す斜視図である。
【図６】反転トリレンマを示す図である。
【符号の説明】
２  水平偏向コイル
２Ａ  小径側フランジ（小径部）
２Ｂ  大径側フランジ（大径部）
２Ｃ  側面部
２Ｄ  窓部
２Ｅ  突き合わせ部
２Ｃ1〜２Ｃ8  セクション
２ＣO1〜２ＣO4  開口
３  垂直偏向コイル
５０1，５０3，５０11〜５０18，５０31〜５０34  分割ピン
５１  凸型
５２  凹型
５３，５５  ピン駆動部
【図１】
0003664375.tif 000002
【図２】
0003664375.tif 000003
【図３】
0003664375.tif 000004
【図４】
0003664375.tif 000005
【図５】
0003664375.tif 000006
【図６】
0003664375.tif 000007